Podtech/llm-jp-corpus-v4-ja_patent huggingface dataset:
(57)【要約】【課題】従来の塩化セチルピリジニウムを用いた殺ウイルス剤では得られなかった優れた殺ウイルス効果を得ると共にウイルス以外に対しても優れた除菌効果を示す殺ウイルス剤を得る。【解決手段】クエン酸に塩化セチルピリジニウムを配合し、ｐＨが３以下の水溶液として使用する。【特許請求の範囲】
【請求項１】
クエン酸１００重量部に塩化セチルピリジニウムを１０重量部以上配合してなる殺ウイルス剤。
【請求項２】
請求項１記載の殺ウイルス剤の水溶液で、ｐＨが３以下であることを特徴とする殺ウイルス剤。
【請求項３】
ｐＨが３以下のクエン酸水溶液に塩化セチルピリジニウムを５０ｐｐｍ以上溶解してなる殺ウイルス剤。
【発明の詳細な説明】
【技術分野】
【０００１】本発明は、クエン酸に塩化セチルピリジニウムを配合した殺ウイルス剤に関するものである。
【背景技術】
【０００２】従来、塩化セチルピリジニウムの殺ウイルス効果が知られている。（特許文献１〜４）また、本発明者らはクエン酸、アルコール、水のみからなり、ｐＨが３以下である可食性除菌剤を提案している。（特許文献５）
【先行技術文献】
【特許文献】
【０００３】
【特許文献１】特開２００７−５１５２０４
【特許文献２】特開２００６−３４７９５８
【特許文献３】特開２００９−２４２３４８
【特許文献４】特開２００９−１５５２６２
【特許文献５】特開２００６−３０４７１２
【発明の概要】
【発明が解決しようとする課題】
【０００４】塩化セチルピリジニウムを殺ウイルス剤として使用する場合には、塩化セチルピリジニウム単独では、十分な効果が得られないので、エキステンダー及び促進剤を併用する必要があった。  （特許文献１  請求項８２）【０００５】  本発明は、クエン酸と塩化セチルピリジニウムの併用で優れた殺ウイルス効果を実現し、ウイルス以外に対しても安定した除菌効果を得ることを目的とするものである。
【課題を解決するための手段】
【０００６】  本発明者らは、クエン酸に塩化セチルピリジニウムを配合し、それをｐＨが３以下の水溶液として使用することで、優れた殺ウイルス効果が得られることを見出し、本発明を完成した。【０００７】即ち、本発明の殺ウイルス剤はクエン酸１００重量部に塩化セチルピリジニウムを１０重量部以上配合してなる殺ウイルス剤であり、またその水溶液で、ｐＨが３以下であることを特徴とする殺ウイルス剤であり、さらにｐＨが３以下のクエン酸水溶液に塩化セチルピリジニウムを５０ｐｐｍ以上溶解してなる殺ウイルス剤である。
【発明の効果】
【０００８】上述したように本発明の殺ウイルス剤は、クエン酸を併用することで、塩化セチルピリジニウムとしては低濃度の水溶液で優れた殺ウイルス効果を提供できる。
【発明を実施するための形態】
【０００９】本発明に係る殺ウイルス剤は、クエン酸と塩化セチルピリジニウムを水に溶解して、ｐＨを３以下の水溶液として使用する。ｐＨが３を超えると速効性を有する除菌効果と持続性を有する抗菌効果を奏することができなくなるからである。
【００１０】水溶液のｐＨを３以下に調整することにより、クエン酸の作用である除菌効果の速効性及び除菌効果の持続性を極めて効果的に奏することが可能となる。また、ｐＨを３以下に調整することにより、クエン酸の作用である除菌効果の速効性及び除菌効果の持続性を極めて効果的に奏することが可能となると共に、塩化セチルピリジニウムの持つ殺ウイルス効果をも増強させることができる。
【００１１】水溶液中のクエン酸濃度は、通常０．０４重量％以上である。
クエン酸が０．０４重量％未満になると、十分な除菌効果の持続性を維持することができないからである。
【００１２】水溶液のｐＨは、クエン酸の添加量を増やすと低下するが、クエン酸以外にリンゴ酸や酒石酸に代表される公知のヒドロキシカルボン酸類や酢酸に代表されるアルキルカルボン酸類を添加して調整することも可能である。また、これらのヒドロキシカルボン酸類やアルキルカルボン酸類のナトリウム塩やカリウム塩を添加することもできる。
【００１３】水溶液中にはアルコールを含むことができる。その濃度は、例えばエタノール単体を除菌剤として使用する場合の濃度よりも低い値であっても十分に除菌効果を奏することができ、アルコール濃度は４０重量％未満に、より好ましくは３０重量％以下に調整されている。
アルコールとしては、除菌効果のあるエタノールやイソプロピルアルコールを用いることができる。
【実施例】
【００１４】以下、本発明の殺ウイルス剤の効果を実施例に基づき説明する。【００１５】クエン酸１００重量部に塩化セチルピリジニウム２３．２重量部を均一に混合し、本発明のクエン酸と塩化セチルピリジニウムの混合物を得た。【００１６】本発明のクエン酸と塩化セチルピリジニウムの混合物０．２６５５ｇを計量し、滅菌イオン交換水を用いて溶解、１Ｌに希釈して本発明の水溶液１を得た。
本発明のクエン酸と塩化セチルピリジニウムの混合物０．５３１ｇを計量し、滅菌イオン交換水を用いて溶解、１Ｌに希釈して本発明の水溶液２を得た。
本発明のクエン酸と塩化セチルピリジニウムの混合物１．０６２ｇを計量し、滅菌イオン交換水を用いて溶解、１Ｌに希釈して本発明の水溶液３を得た。【００１７】本発明の水溶液１〜３について、Ｈ５Ｎ３亜型鳥インフルエンザウイルスに対するウイルス不活化効果をウイルス力価の経時変化を測定することにより調べた。
対照試験として、滅菌イオン交換水のみを用いた場合の１０分後及び３０分後のウイルス力価は対数値でいずれも７であった。【００１８】本発明の水溶液１を用いた場合の１０分後のウイルス力価は対数値で５、３０分後のウイルス力価は対数値で５であった。
本発明の水溶液２を用いた場合の１０分後のウイルス力価は対数値で３、３０分後のウイルス力価は対数値で１であった。
本発明の水溶液３を用いた場合の１０分後のウイルス力価は対数値で０．６、３０分後のウイルス力価は対数値で０．５であった。
本発明の水溶液２及び水溶液３では顕著な殺ウイルス効果が確認された。
(57)【要約】【課題】  本発明は、けがや事故から身を守るために装着する保護パットが、使用と共に消耗してしまうことを解消するため、保護パットを挿入するポケットをつけ、保護パットの交換を可能にした衣服を提供しようとする。【解決手段】  上着袖１、ズボンの後身ごろ２、そしてズボンの前身ごろ３にポケット７をとりつけることにより、保護パットの交換が可能となるため、常に、各部位を保護するのに十分な保護パットを使用できるようにする。着用中に保護パットが飛び出さないようにフラップをつける。【選択図】図１
2012136812.tif 000002
【特許請求の範囲】
【請求項１】
上着やズボン、つなぎや下着に対し、出し入れの可能な保護パットを入れるためのポケットを装着した衣服。
【発明の詳細な説明】
【技術分野】
【０００１】本発明は、けがや事故から身を守るために、肩・肘・すねなどを守るための保護パットを入れるポケットを衣類に取り付け、保護パットを交換できるようにしたものである。
【背景技術】
【０００２】従来、保護パットが縫いこまれている衣類はあったが、保護パットの交換ができるようなポケットがついたものがなかった。
【発明の概要】
【発明が解決しようとする課題】
【０００３】事故やけがから身を守るために、保護パットを衣類の内部に縫いこむ形で、装着されているものはあるが、保護パットが消耗した場合に、容易に交換ができないため、保護パットの消耗と共に、本来保護すべき部分が保護できなくなるという難点があった。本発明は、この課題を解消するためになされたものである。
【課題を解決するための手段】
【０００４】上着の袖（肘）・ズボンの後身ごろ（尻）・ズボンの前身ごろ（膝）にポケットを装着することによって、ポケットの中の保護パットの着脱及び交換をできるようにしたことで、いつでも保護力を十分に確保した保護パットを使用できるようにした。
【発明の効果】
【０００５】保護パットが入れられるため、膝をついて作業をする場合や、重たい荷物を担ぐ場合、及び、スポーツ時に転倒した場合に、けがから身を守ることができる。保護パットの交換が可能なため、保護パットが消耗してしまった場合にも、いつでも新しい保護パットが使用できる。また、保護パットの着脱が可能なため、不要な時は、通常の衣類としても使用できる。
【図面の簡単な説明】
【０００６】
【図１】本発明の正面図である。
【発明を実施するための形態】
【０００７】以下、本発明の実施の形態について説明する。
（イ）．上着の袖１、ズボンの後身ごろ２、ズボンの前身ごろ３のポケットとりつけ線８      を目安としてポケット７をとりつける。保護パット入れ口６は、ポケット７の端部      開口となっている。
（ロ）．ポケット７をとりつけ後、フラップとりつけ線４を目安としてフラップ５をとり      つける。
【符号の説明】
【０００８】１  上着の袖
２  ズボンの後身ごろ
３  ズボンの前身ごろ
４  フラップとりつけ線
５  フラップ
６  保護パット入れ口
７  ポケット
８  ポケットとりつけ線
【図１】
2012136812.tif 000003
(57)【要約】      （修正有）【課題】炭素繊維を着色する方法およびその装置、着色された炭素繊維を提供する。【解決手段】顔料を含んだシラン化合物を発生させ、炭素繊維３に触れさせて顔料を電気蒸着させることで、着色された炭素繊維４を生産する。特に航空旅客機の筐体や翼に使われる炭素繊維に着色を施して、従来の黒色を帯びた炭素繊維の下地塗装を無くして、機体の軽量化をはかりたい。車両の軽量化に炭素繊維が有望視されている、そうした下地塗装を省くことができる。【選択図】図３
2012136818.tif 000002
【特許請求の範囲】
【請求項１】
炭素繊維を顔料を含む気相ガスにさらし、気相ガスと炭素繊維を電気化学的に蒸着して着色する方法
【請求項２】
炭素繊維を顔料を含む気相ガスにさらし、気相ガスと炭素繊維を電気化学的に蒸着して着色する装置
【請求項３】
請求項１から請求項２に至る、着色された炭素繊維
【発明の詳細な説明】
【技術分野】
【０００１】
本発明は、炭素繊維を着色する方法およびその装置、着色された炭素繊維に関する。
【発明の概要】
【発明が解決しようとする課題】
【０００２】
炭素繊維は黒色をしており、炭素原子は規則正しく並んでいる。特許出願２０１１−１７２４１７の明細書中、段落０００２から０００３に、炭素繊維は黒色であることを指摘している。従来、炭素繊維を主原料とする造成物に塗料を塗布するなどしてカラーヴァリエーションを得ていた。炭素繊維と塗料は剥がれやすい特徴をもち、炭素繊維が水分を吸収すると、塗料は剥離する。炭素繊維を直接かつ安定的に着色する場合、顔料と原子的なレベルでの結合を必要としている。
【発明の効果】
【０００３】
顔料をフッ素の化合物化あるいは、ケイ化マグネシウムと硫酸とを反応させて、顔料を含んだシラン化合物を発生させ、炭素繊維と触れさせ顔料を電気蒸着させることで、着色された炭素繊維を生産できる。炭素繊維はもともと黒色であるが、カラーヴァリエーションに富んだ炭素繊維は、多くの製品に芸術性を持たせることができ、多彩な用途が見込まれる。従来、炭素繊維製品に色を塗布する場合、下地処理に白色等をした塗装材をあらかじめ塗布しておき、その上に彩色をほどこしていた、そのため広範囲な塗装面にいたると、下地処理にほどこした塗装材が重量を帯びてしまう、本発明の装置で炭素繊維に直接、着色することで下地処理を必要としない。
【図面の簡単な説明】
【０００４】
【図１】炭素繊維を電気蒸着して、着色するためにもちいる顔料の系統と化学式である。
【図２】無機顔料に関する、発色と鉱物（化合物）の対応表である。主にシランと化合して、無機顔料を含む気相ガスにほどこし、炭素繊維に触れさせ着色するための基礎となる対応表である。
【図３】顔料を含む気相ガスを炭素繊維に触れさせる装置の簡略図である。
【先行技術文献】
【特許文献】
【０００５】
特許出願２０１１−１７２４１７  機能性畳表
【実施例】
【０００６】
チャンバー内に顔料を含んだ陰極性の気相ガスを充填しておき、陽極性の炭素繊維をさらすことで炭素繊維を電気蒸着する。気相ガスと希土類元素は有毒であることから、アクリル樹脂やエポキシ樹脂等で着色された炭素繊維を覆うことが寛容であり、製造装置にいたっては、チャンバーを二重構造にして、漏れる気相ガスを活性炭フィルタ−等で回収する。顔料に利用する鉱物類は無毒であるものが好ましい。炭素繊維は通電性である、したがってチャンバーに送り込む滑車に陽極のバイアスを加えて、炭素繊維を陽極にしておき、気相ガスはあらかじめ陰極性にしておくことで、チャンバー内で炭素繊維を電気蒸着する。
【符号の説明】
【０００７】
００１  炭素繊維のボビン（素地）
００２  炭素繊維のボビン（加工後）
００３  炭素繊維（素地）
００４  炭素繊維（加工後）
０１０  陽極にバイアスされた上部滑車
０１１  陽極にバイアスされた下部滑車
０２０  テフロン（登録商標）加工の施された穿孔
０３０  気相ガス回収チャンバー循環口
０３１  気相ガス回収チャンバー循環口
０３２  気相ガス回収チャンバー
０３３  ゼオライトフィルター
０３４  活性炭フィルター
０４０  陰極にバイアスされた気相ガス封入口
０４１  陰極にバイアスされた気相ガス取り出し口
０４２  陰極にバイアスされた気相ガス充填チャンバー
【図１】
2012136818.tif 000003
【図２】
2012136818.tif 000004
【図３】
2012136818.tif 000005
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
顔料をフッ素の化合物あるいは、ケイ化マグネシウムと硫酸とを反応させて、顔料を含んだシラン化合物の気相ガスを発生させ、チャンバーに送り込む滑車に陽極のバイアスを加えて、炭素繊維を陽極にしておき、気相ガスはあらかじめ陰極性にしておくことで、チャンバー内で炭素繊維と触れさせ顔料を電気蒸着する炭素繊維を着色する方法。
【請求項２】
顔料をフッ素の化合物あるいは、ケイ化マグネシウムと硫酸とを反応させて、顔料を含んだシラン化合物の気相ガスを発生させ、チャンバーに送り込む滑車に陽極のバイアスを加えて、炭素繊維を陽極にしておき、気相ガスはあらかじめ陰極性にしておくことで、チャンバー内で炭素繊維と触れさせ顔料を電気蒸着する炭素繊維を着色する装置。
(57)【要約】【課題】ペットボトルおよびプルトップを有する缶飲料は、その開栓時初期段階に大きな力を必要とし、成人の健常者でもその開栓に難儀することがしばしばであり、障害を持つ者、お年寄り並びに年少者、また付け爪をした者は指先が使えずこれも開栓に苦労する場合が多い。また弱視や老眼により小さな文字は読み辛い。【解決手段】  本発明は、ペットボトルのキャップに装着することで、開栓時の力を補うことができ、また図３に示す部位２によって缶飲料のプルトップをテコの原理で押上げることができ、その開栓を補助することができる。また本発明の形状は、図３に示す部位１がレンズ状になっており、ルーペとして使用することができる。【選択図】図１
2012136239.tif 000002
【特許請求の範囲】
【請求項１】
本発明は、ペットボトルの開栓とプルトップを有する缶飲料の開栓を補助し、且つルーペ機能を有する三得器具である。
【発明の詳細な説明】
【技術分野】
【０００１】
本発明は、ペットボトルのキャップおよび缶飲料のプルトップを小さな力で開栓できるよう補助するもので、且つその一部の形状が有するレンズ効果によってルーペとしても使用できる三得器具に関するものである。  
【先行技術文献】
【特許文献】
【０００２】
【特許文献１】特開２００１−１５８５００号公報
【発明の概要】
【発明が解決しようとする課題】
【０００３】
ペットボトルおよびプルトップを有する缶飲料は、その開栓時初期段階に大きな力を必要とし、成人の健常者でもその開栓に難儀することがしばしばであり、障害を持つ者、お年寄り並びに年少者、また付け爪をした者は指先が使えず開栓が困難である。また弱視や老眼により小さな文字は読み辛い。
【課題を解決するための手段】
【０００４】
本発明は、図３に示す部位３をペットボトルのキャップに装着することで、キャップの外周を大きくしたと同じ効果が得られ、よって開栓時の力を補うことができ、且つ本発明の図１並びに図３が示すとおりその形状によって力点が遠くに生じるため、より小さな力で開栓することができる。また本発明の、図３に示す部位２によって缶飲料のプルトップをテコの原理で押上げることができ、その開栓を補助することができる。また本発明の形状は、図３に示す部位１がレンズ状になっており、ルーペとして使用することができる。以上のようにボトルキャップとプルトップの開栓補助機能とルーペ機能の３つの機能を一つに集約した今までに無い三得器具である。
【発明の効果】
【０００５】
ペットボトルおよびプルトップを有する缶飲料の開栓をより小さな力で行うことができ、健常者はもちろん障害を持つ者、お年寄り並びに年少者、また付け爪をした者も容易に開栓することができる。また本発明の形状は、図３に示す部位１がレンズ状になっており、ルーペとして使用することができ、ペットボトルキャップの開栓とプルトップを有する缶飲料の開栓とルーペとしての使用のいつも手元にあると便利な3つの機能を一つにしたもので、且つその形状と色はデザイン性を有し、ファッションとしてもその用を満たすもので、新しい生活パターンを提供する。
【図面の簡単な説明】
【０００６】
【図１】図１は開栓具の説明図である。（実施例１）
【図２】図２は開栓具の説明図である。（実施例２）
【図３】図３は開栓具の説明図である。（実施例３）
【発明を実施するための形態】
【０００７】
より小さな力で開栓することができるようにするため、およびより高いレンズ効果を得るために透明なプラスチックの水滴形状とした。
【実施例１】
【０００８】
図１は、本発明の平面図である。
【実施例２】
【０００９】
図２は、本発明の正面図である。
【実施例３】
【００１０】
図３は、本発明の断面図である。
【符号の説明】
【００１１】
１  レンズ部
２  プルトップ開栓部
３  ペットボトルキャップ開栓部
【図１】
2012136239.tif 000003
【図２】
2012136239.tif 000004
【図３】
2012136239.tif 000005
(57)【要約】      （修正有）【課題】今までは杓子で汁の上に浮いている灰汁をすくうといっしょにだし汁もすくい取っていたため何度も灰汁をすくうとだし汁が少なくなっていた。又金網状杓子で泡状の灰汁をすくっていたが、金網目から流れ落ち灰汁を取る事ができなかった。【解決手段】この灰汁取りは灰汁をすくう部分の金網を二重にして下側と上側の金網の間に吸取紙を入れる事により前記問題を解決している。【選択図】図１
2012152502.tif 000002
【特許請求の範囲】
【請求項１】
杓子の先の汁をすくう部分を上下２枚金網状にして下側の金網の上に吸取紙を置き上側の金網を下げて、二つの金網を固定金具で閉じ使用する事を特徴とする灰汁取り。
【請求項２】
灰汁取りの下側にある金網の目は約４ｍｍ〜５ｍｍ上側の金網の目は約２ｍｍである事を特徴とする請求項１に記載の灰汁取り。
【発明の詳細な説明】
【技術分野】
【０００１】
本発明は鍋で煮炊きする際、鍋の中に泡状の灰汁が沸いてきたり、汁の表面に溜まる灰汁などを簡単に早く綺麗に取る事を図った灰汁取り。
【背景技術】
【０００２】
従来は汁などをすくう杓子ですくい取るか金網で出来ている杓子のような道具で泡状の灰汁をすくい取っていた。
【発明の概要】
【発明が解決しようとする課題】
【０００３】
今までは汁の上に浮いていた灰汁を取るときは煮汁もいっしょに杓子ですくい取っていたため、灰汁が多く出れば出るほど鍋の中の汁が少なくなると言う欠点があった。又、泡状の灰汁は目の小さい金網で出来ている杓子の様な物で取っていたが灰汁が金網の目から流れ落ちるなどの欠点があった。
【課題を解決するための手段】
【０００４】
この発明の灰汁取りは灰汁をすくう部分の金網が二重になっており下側の金網の上に灰汁取り専用に作った吸取紙を置き、上側の金網を下に押し吸取紙を挟んで一つの灰汁取りに仕上げている。
【発明の効果】
【０００５】
上述の様に本発明の灰汁取りは杓子状の形で出来ており、杓子の先が二枚の金網状になっており、その中に吸取紙を設けた事により汁の中にある灰汁や泡状の灰汁を吸取紙で取る事ができる。又、灰汁以外にも汁の中に浮いている不純物も抄い取る事ができる。
【図面の簡単な説明】
【０００６】
【図１】灰汁取りの使用状態を示す斜視図と吸取紙の図。
【図２】灰汁取りの右側面図。
【発明を実施するための形態】
【０００７】
以下本発明を実施するための形態について説明する。
【０００８】
灰汁取りは杓子の形をしており杓子の先の汁をすくう部分が金網で二重に形成されている。
【０００９】
灰汁取りの先の二重になっている部分の下側の金網の上に吸取紙を入れ上側の金網を下げて使用する。
【００１０】
灰汁取りの金網の目の大きさは上側が約２ｍｍらいで下側の目の大きさは４ｍｍ〜５ｍｍくらいが好ましい。
【００１１】
吸取紙５の材質は実用新案登録第2581656号に登録している灰汁取り材が好ましいが、その外にもクッキングペーパーや木綿の布などでも使用できる。
【符号の説明】
【００１２】
１    灰汁取り本体
２    灰汁をすくい取る部分で下の金網に吸取紙を入れ上から押さえる部分で金網の
目が約２ｍｍの図
３    吸取紙を挟む下側の金網
４    上側の金網を開いたり閉じたりするための蝶番
５    金網の上下に間に入れる吸取紙
６    二つの金網を閉じて固定させる金具
７    吸取紙を敷く部分
【図１】
2012152502.tif 000003
【図２】
2012152502.tif 000004
(57)【要約】【課題】  指先が乾燥する時期には、財布の中の紙幣をとり出しやすいように、財布の中側にウェットティッシューを設けた湿度を保つ袋を備えた財布を提供する。【解決手段】  二つに折り曲げる財布の中側中央に、湿度を保つ袋を設け、ウェットティッシューを設ける。【選択図】図１
2012152541.tif 000002
【特許請求の範囲】
【請求項１】
二つに折り曲げる財布をひろげ、内部中央に湿度を保つ袋を設け、中にウェットティッシューを入れたウェットティッシューつき財布。
【発明の詳細な説明】
【技術分野】
【０００１】  この発明は、財布を折り曲げる中側部分に、ウェットティッシューを入れた小さい袋を設けたウェットティッシューつき財布に関するものである。
【背景技術】
【０００２】  従来、財布とティッシューは別々になっていた。
【発明の概要】
【発明が解決しようとする課題】
【０００３】  これは、次のような欠点があった。
買物をする時、冬はとくに指先が乾き、紙幣をとり出す際に、指先に唾液をつけており、大変不衛生であった。本発明は以上の欠点をなくすためになされたものである。
【課題を解決するための手段】
【０００４】  財布を二つに折り曲げる中側中央部に、湿度を保つ袋を設けウェットティッシューを設ける。
本発明は、以上の構成よりなるウェットティッシューつき財布である。
【発明の効果】
【０００５】  指先が乾燥する時期には、財布の中の紙幣をとり出すのに、財布の中側にあるウェットティッシューの袋を開いて指先を湿らせることで、紙幣がとり出しやすくなる。
【図面の簡単な説明】
【０００６】
【図１】  本発明の斜視図
【発明を実施するための形態】
【０００７】  以下本発明を実施するための形態について説明する。
二つに折り曲げる財布（１）をひろげ、中央に湿度を保つ袋（２）を設ける。袋（２）の中にウェットティッシュー（３）を入れる
本発明は以上のような構造である。
これを使用するときは袋の中のティッシューで指を湿めらせる。
【符合の説明】
【０００８】  １    財布
２    袋
３    ウェットティッシュー
【図１】
2012152541.tif 000003
(57)【要約】      （修正有）【課題】ＡＥＤは、公共のいろいろな場所に設置してありますが、ＡＥＤを使用前に心臓マッサージを必ずしなければなりません。しかし普通の人は、必ずしも正しい心臓マッサージの方法が、よく解りません。その為に被救命者の蘇生が必ずしも出来ていません。せっかくＡＥＤを備えていても、宝の持ち腐れに成りかねません。【解決手段】専用の機器または、いろいろな携帯機器や、デジタル機器に組込、音声または文字で、救命者に心臓マッサージの正しい方法を伝える事で、被救命者を救命する事が出来ます。【選択図】図１
2012152537.tif 000002
【特許請求の範囲】
【請求項１】
心肺蘇生を行うに当たり、救命者に音声又は、文字で的確な指示を伝え、蘇生の措置を正確に行う事が出来る装置。
【発明の詳細な説明】
【発明の詳細な説明】
【産業上の利用分野】
【０００１】  本発明は、ＡＥＤの使用前に、必ず実施しなければならない、心臓マッサージを、正確に指示をすることにより、被救命者の心肺蘇生を助けるものである。また、この本発明をデジタル時計、腕時計、万歩計、血圧計、携帯電話などの、携帯機器やデジタル機器等に組込、広く活用する事が出来る。
【背景技術】
【０００２】  心肺蘇生の心臓マッサージの手順を明確に指示出来るものは無く、単にビープ音を発生する機器に過ぎません。その為救命者が被救命者に、的確な心臓マッサージを出来ない事が有りました。
【発明が解決するための手段】
【０００３】  救命者に、的確な指示を音声と文字を使って知らせる。この事により救命者は、正しい心臓マッサージを行う事が出来る。
【発明の効果】
【０００４】  本発明によれば、被救命者を正しい心臓マッサージを行う事により、蘇生させる確率が格段に高くなります。また他の携帯機器やデジタル機器に組み込む事により、世間に広く行き渡り、被救命者を救う事になる。
【図面の簡単な説明】
【図１】は、概念図  １．表示装置  音声と文字で救命者に正しい手順を知らせ、一分間に１００回のスピードが必要な心臓マッサージの回数を、ビープ音で知らせる。  ２．表示装置に必要な制御回路  ３．スイッチ  ４．電源
【図１】
2012152537.tif 000003
(57)【要約】【課題】日本茶の有効成分をより多く飲用摂取するための、擂り鉢機能を有する茶漉し器を課題とする。【解決手段】上面が開口され、本体の上部に網目状の透水構造を設け、下部及び底面を非透水性構造として前期非透水性構造内部に茶葉と少量の熱湯を収容することが出来、前期非透水性構造内部底面に擂り鉢効果のある多数の突起を設けた擂り鉢機能を有する茶漉し器とする。【選択図】図２
2012152531.tif 000002
【特許請求の範囲】
【請求項１】
上面が開口され、本体の上部に網目状の透水構造を設け、下部及び底面を非透水性構造として前期非透水性構造内部に茶葉と少量の熱湯を収容することが出来、前期非透水性構造内部底面に擂り鉢効果のある多数の突起を設けたことを特徴とする擂り鉢機能を有する茶漉し器。
【発明の詳細な説明】
【技術分野】
【０００１】本発明は、日本茶の有効成分をより多く飲用摂取するための、擂り鉢機能を有する茶漉し器に関する。
【背景技術】
【０００２】従来の茶漉し器は、茶葉から染み出す茶のエキスのみを取り出すものであった。【０００３】しかしながら、残された茶殻には有効成分が多量に残っており、これを利用するのに料理にこの茶殻を加えたりする場合もあったが、大半はゴミとして廃棄されるだけであった。【０００４】そこで、急須の内側底に突起を設け、茶葉を粉末にして飲食することができる急須がある。しかしながら急須の底に多数の突起を設けることは製造コストが掛かる上に、使用による汚れを掃除し難いことがあった（特許文献１  特開平９−１０１１１号公報参照）。
【先行技術文献】
【特許文献】
【０００５】
【特許文献１】特開平９−１０１１１号公報
【発明の概要】
【発明が解決しようとする課題】
【０００６】本発明は、以上のような従来の欠点に鑑み、日本茶の有効成分をより多く飲用摂取するため、擂り鉢機能を有する茶漉し器を提供する事を目的としている。本発明は茶を入れる時に茶葉を擂り下ろし、茶のエキスと共に茶葉に含まれる有効成分を飲用しようとするのが課題である。本発明はかかる課題を解決することを目的としたものである。
【課題を解決するための手段】
【０００７】上記目的を達成するために、本発明の擂り鉢機能を有する茶漉し器は、上面が開口され、本体の上部を網目状の透水構造とし、下部及び底面を非透水性構造として、前記非透水性構造内部に茶葉と少量の熱湯を収容することが出来、前記非透水性構造内部底面に擂り鉢効果のある多数の突起を設けたことを特徴とする擂り鉢機能を有する茶漉し器とする。【０００８】上記のように構成された擂り鉢機能を有する茶漉し器の作用は次のようになる。
本体の内部に適量の茶葉を入れ、上から少量の熱湯を注ぎ、下部及び底面の非透水性構造に茶葉と適量の熱湯を貯留させ、底面に設けられた多数の突起とスリコギで１分ほど茶葉を擂りペースト状にする。次にペースト状になった茶葉に熱湯を適量加える、茶葉と熱湯が混ざり一定量を超えるとオーバーフローして上部網目状の透水構造より、茶のエキスと共に有効成分を含んだ茶葉の微細物が急須または湯のみに収容される。本発明の擂り鉢機能を有する茶漉し器本体に少量残された茶のエキスと有効成分を含んだ茶葉の微細物は、急須を傾けたときに、また症例２（図３）を使用した場合は本体を傾ければ湯呑みに注がれる。
【発明の効果】
【０００９】本発明は、以上説明したように構成されているので、以下に示すような効果を奏する。
（１）従来の茶漉し器は、茶葉から染み出す茶のエキスのみを取り出すものであった。しかしながら、残された茶殻には有効成分が多量に残っておりこれを利用するのに料理にこの茶殻を加えたりする場合もあったが、大半はゴミとして廃棄されるだけであった。そこで、本発明は茶を入れる時に、茶葉を擂り下ろすことで、茶のエキスと共に有効成分を含んだ茶葉の微細物を飲用摂取することが出来る。
（２）茶葉を有効に活用できるため少量の茶葉の量で濃厚なお茶を楽しむことが出来る。【００１０】
【図面の簡単な説明】
【００１１】
【図１】本発明の上面図である。
【図２】本発明の一部断面図を含む側面図である。
【図３】他の実施例の斜視図である。
【発明を実施するための形態】
【００１２】以下、本発明の実施例につい図に基づいて説明する。
【実施例１】
【００１３】図１、図２は急須内に設置する場合の擂り鉢機能を有する茶漉し器である。
図１は上面図であり、内側底面に擂り鉢効果のある多数の突起（ａ）が設けられている。図２は一部断面図を含む側面図であり、底面に擂り鉢効果のある多数の突起（ａ）が設けられ、上部は網目状になった透水構造（ｂ）が設けられ、下部は非透水構造（ｃ）となっている。【００１４】本発明の擂り鉢機能を有する茶漉し器の素材には、金属性の場合には、ステンレスなどを用い上部透水構造（ｂ）は網状或いは多孔性に構成され、非金属性の場合にはプラスチックなどを用い、多孔性に成形する。本体下部は非透水構造（ｃ）とし、内側底面に突起（ａ）を設ける。
【実施例２】
【００１５】図３は実施例１の擂り鉢機能を有する茶漉し器の枠（ｄ）に持ち手部（ｅ）と対側に架かり部（ｆ）を設けた他の実施例の斜視図であり、湯呑み等に本体から直接注ぐ場合に使用する。
【符号の説明】
【００１６】ａ  突起
ｂ  透水構造
ｃ  非透水構造
ｄ  茶漉し器の枠
ｅ  持ち手部
ｆ  架かり部
【図１】
2012152531.tif 000003
【図２】
2012152531.tif 000004
【図３】
2012152531.tif 000005
(57)【要約】【課題】座椅子の背もたれに寄りかかったままの状態で容易に、スライド、回転することができ、立ち居が楽で、どの角度にも正対できる機能的な座椅子装置を提供する。【解決手段】ベース部（１）の上で、移動部（３）が、ベース部ガイド（２）と連動し、回転ボールによりスライド、回転し、ベース部（１）により、床、畳、絨毯等に対しても、移動部の機能を損なうことなく、既存の座椅子には、接着部（５）により取り付け、新規の制作には制作段階で取り付けることにより、対応できる座椅子装置を特徴とする。【選択図】図１
2012152538.tif 000002
【特許請求の範囲】
【請求項１】
ベース部（１）の上に重ねた移動部（３）が、ベース部ガイド（２）と、移動部ガイド（４）と連動し、既存の座椅子に対しては、接着部（５）により、上に固定された座椅子が、スライド、回転し、また新規に制作する座椅子に対しては、製造工程に組み込めば、同様の機能を備えた座椅子になることを特徴とする座椅子装置。
【発明の詳細な説明】
【技術分野】
【０００１】  本発明は、ベース部の上に重ねた、移動部がスライド、回転し、既存の座椅子にあっては、移動部の上に設けた接着部により固定し、これから制作する座椅子にあっては、制作段階で組み込めば同様の機能を有する座椅子に関するものである。
【背景技術】
【０００２】  従来、座椅子は座ったまま移動できないため、炬燵に入ったり、座卓で飲食をする場合、どうしても膝が中に入ってしまい、座椅子を後ろに下げて、背もたれから離れて前に座らないと、立ち居が困難になり、せっかくの背もたれが機能していないことが多い。
また、炬燵でテレビを見ているとき、座卓で歓談しているときなど正対することが出来ず、首を回さなければならない。
【発明の概要】
【発明が解決しようとする課題】
【０００３】  そのために、次のような問題点があった。
（イ）座ったままスライドできる座椅子がない。
（ロ）座ったまま回転できる座椅子がない。
（ハ）既存の座椅子に、これらの機能を加えられるものがない。
本発明は以上のような問題を解決しようとしたものである。
【問題を解決するための手段】
【０００４】  ベース部（１）の上に重ねた、移動部（３）が、ベース部ガイド（２）と、移動部ガイド（４）により連動し、スライド、回転し、既存の座椅子に対しては、移動部（３）の上部に設けた接着部（５）により接着し、新規に制作する座椅子に対してはこれを組み込むことにより同様の機能を有する座椅子装置。
【発明の効果】
【０００５】（イ）座椅子に座ったまま、容易にスライドできる。
（ロ）座椅子に座ったまま、容易に回転できる。
（ハ）接着部が設けてあるので、既存の座椅子に取り付けられる。
（ニ）新規に政策座椅子に、組み込むことが出来る。
【発明を実施するための状態】
【０００６】  以下、本発明の形態を説明する。
ベース部（１）の上に重ねた、移動部（３）が、ベース部ガイド（２）と連動し、回転ボール部（８）内に組み込まれた、回転ボール（７）により、スライド、回転し、既存の座椅子に対しては、移動部（３）の上部に設けた接着部（５）により取り付けられ、新規に制作する座椅子に対しては制作段階で組み込み、同様の機能を有する座椅子装置。
本発明は、以上のような構成によるものである。
本発明は、図１によるベース部（１）と、移動部（３）を組み合わせたものである。
図２によるベース部（１）は、移動部（３）をリードするベース部ガイド（２）を取り付けたものであり、ベース部（１）により、座椅子を置く床、畳、絨毯等にも、対応できるものである。
図３の移動部（３）は、中央に空洞部（６）を設け、下側にベース部ガイド（２）と連動する移動部ガイド（４）を取り付け、上部に既存の座椅子取り付ける接着部（５）を設けたものである。
座椅子のスライド、回転は回転ボール部（８）内に組み込まれた、回転ボール（７）によるものである。
図４は、本発明を後ろから見た詳細図である。
図５は、移動部（３）を、先端までスライドさせて横から見た詳細図である。
図６は、本発明の平面図で、座卓からスライド回転し立ち居が、容易になった状態を示したものである。
図７は、本発のスライドした状態を側面から見たもので、スライドの状態を示したものある。
【図面の簡単な説明】
【０００７】
【図１】（ａ）本発明の全体図である。（ｂ）本発明を横方向から見た説明図である。（ｃ）本発明を縦方向から見た説明図である。
【図２】（ａ）本発明のベース部で、移動部をリードするガイドを取り付けた説明図である。（ｂ）本発明のベース部を横方向から見た説明図である。（ｃ）本発明のベース部を縦方向から見た説明図である。
【図３】（ａ）本発明の移動部で、中央の空洞部と、既存の座椅子に固定する接着部、移動の原動力になる回転ボール部、ベース部と連動するガイドからなる説明図である。（ｂ）本発明の移動部を、横方向から見た説明図である。
【図４】本発明を、縦方向から見た詳細な説明図である。
【図５】本発明を、横方向から見て、先端までスライドさせた説明図である。
【図６】本発明を座卓の前にセットした状態を上から見た図で、スライド、回転させ、容易に立ち居が出来る説明図である。
【図７】本発明を座卓の前にセットし、スライドした状態を横から見た説明図である。
【符号の説明】
【０００８】１  ベース部
２  ベース部ガイド
３  移動部
４  移動部ガイド
５  接着部
６  空洞部
７  回転ボール
８  回転ボール部
【図１】
2012152538.tif 000003
【図２】
2012152538.tif 000004
【図３】
2012152538.tif 000005
【図４】
2012152538.tif 000006
【図５】
2012152538.tif 000007
【図６】
2012152538.tif 000008
【図７】
2012152538.tif 000009
(57)【要約】【課題】  この発明は下記を防止し  床、リビングフロアー等に傷付を防ぐ方法に関するものである。従来のロッキングチェアーは床、リビングフロアーとの接触は木材どうしあるいは木材対金属が多く、まれには間にゴム等のクッション材を取り付けている。ゴム等のクッション材を使用した場合は使用中の局圧により伸び等により取り付けがはずれる。また木材対木材あるいは木材対金属の場合はロッキングチェアーを使用中リビングフロアー等に対し傷をつける。【解決手段】  ロッキングチェアーを使用中ロッキングにより  床、リビングフロアー等に擦り傷、引っ掻き傷等が随所につく。これらを防止する為にチェアーの床接面部に引っ張り負荷に対し延率の低い、また微小な伸びに対しては局部的に吸収する構造にする緩衝材を貼り付け目的を達する。【選択図】図１
2012152535.tif 000002
【特許請求の範囲】
【請求項１】
ロッキングチェアーの床、リビングフロアーとの接触面に伸縮性の非常に小さいタイミングベルト様のベルトを床との接圧による伸びにも、ずれたり外れたりしないように取り付ける事で床、リビングフロアー等に傷付を防ぐことを特徴とするロッキングチェアー。
【発明の詳細な説明】
【発明の詳細な説明】
【技術分野】
【０００１】この発明はロッキングチェアー使用時の  床、リビングフロアー等に傷付を防ぐ方法に関するものである。
【背景技術】
【０００２】従来のロッキングチェアーは床、リビングフロアーとの接触は木材どうし或いは金属対木材等で、ロッキングチェアーを使用中リビングフロアー等に対し傷を付けたりする。
まれに間にゴム等のクッション材を取り付けているがゴム等のクッションの場合ロッキング、スイングによって、クッションにかかる局圧で微小な伸びが発生し波動的にスイング方向に大きくなりクッション材が撚れたり外れたりする。このようになるとリビングフロアー等に対し傷を付ける。
【発明が解決しようとする課題】
【０００３】ロッキングチェアーはゆったりとテレビを観たり昼寝をしたりと使用感は子供から老人まで大好評ですがリビングフロアー等に対し傷を付けると云う欠点で普及していない。
本発明はリビングフロアー等に対し傷を付けることを防止するとともに心地よい使用感のロッキングチェアーを少しでも多くの方々に使って頂くために発明されたものである。
【課題を解決するための手段】
【０００４】上記リビングフロアー等に対し傷を付けることを防止するにはロッキングチェアーと床、リビングフロアーとの間に以下の緩衝材の配置を工夫する事により解決する。緩衝材に用いる床保護ベルトは一般市販のタイミングベルト様で引っ張り負荷に対し延び率は非常に小さく、表裏の片面は矩形あるいは台形、山形、歯車状等の凸凹状になっている、また反対面は床、リビングフロアー等に接してもロッキング動作に支障のない平面状である。
タイミングベルトは産業用に多く使用されている、自動車にもよく使われておりカムシャフト、クーラー、冷却ファン等をテンションを利かせ過酷な状況で使用されている。
それは耐久性とともに伸縮率が非常に小さく強靭だからである。
このようなベルトを床保護ベルトとして用いロッキングチェアーの床接面部に、床保護ベルトがずれる事のないように配置装着する。以上を特徴とするロッキングチアーである。
【発明の実施の最良の形態】
【０００５】以下、本発明の実施の形態について説明する。
（イ）  床保護ベルト１は一般市販品のタイミングベルト様で材質についてはゴム系、ポリウレタン、ナイロン等或程度の柔軟性を持ち、長手方向の引っ張り  強度を増すため心材にスチール、ガラス繊維、カーボンファイバー等を配し長さ方向の引っ張りに対しては伸び率が非常に小さい部材である。
また表裏の一面は矩形、台形、山形、ギアー様の凸凹状になっており、反対面はロッキングチェアーがスイング中も凸凹を感じさせない程度の平面とする。
（ロ）  ロッキングビーム部３はロッキングチェアーの床接面部材でありこの床との接面部に床保護ベルト１の凹凸側を嵌め込む浅溝をロッキングチェアーのロッキングに必要な幅、長さで設ける。
【０００６】以上の床保護ベルト１をロッキングビーム部３の浅溝部に下記のように接合する。接合は床保護ベルト１の凸凹部を床保護ベルト嵌め込み部２の底まで嵌めなお且つ床保護ベルト１の平面部が浅溝部の側部より、ロッキングスイングによって床、フロアー等に傷を付けない程度とび出ている。
ロッキングスイングによって、微小な伸びに対しては床保護ベルト１の凸凹部が局部的に吸収する装着接合である。
【実施例】
【０００７】実施例
床保護ベルト１をロッキングビーム部３の保護ベルト嵌め込み部２の接合に接着剤を用いた実施例。
床保護ベルト１は一般市販のタイミングベルト、    背ゴム  クロロプレンゴム
歯ゴム  高硬度合成ゴム
芯線    アラミド繊維
幅      ２５ｍｍ
厚み    １．９５ｍｍ
長さ    ８００ｍｍ
を用いる。
ロッキングビーム部３の保護ベルト嵌め込み部２浅溝部寸法を以下とする。
ロッキングビーム部３の浅溝部寸法          溝幅    ２６ｍｍ
溝深さ  １ｍｍ
有効長さ  ７７０ｍｍ
ロッキングビーム部３の浅溝長手外側に床保護ベルト１の固定用窪みを設ける。
窪み幅  ２５ｍｍ
浅溝部有効長さの両端外側に長さ１５ｍｍで斜めに深さ８ｍｍまで掘り込み窪みを作る。
以上の事を踏まえて接着接合をする。
（イ）接着剤は接着両材に対して強固な接着力を有し、また硬化収縮率が小さく硬化後も少し弾性を有している。
（ロ）ロッキングビーム部３の保護ベルト嵌め込み部２の浅溝部に接着剤を薄く均一に塗布する。
（ハ）床保護ベルト１の凸凹面の凹部に接着剤を充填しつつ凸部頂点面にも薄く全体に平面状に塗布する。
（ニ）接着剤の貼り付け要綱を基に次の要領で接着する。
接着剤を塗布した床保護ベルト１の一端をロッキングビーム部３の窪みに入れて鋲で固定する。
床保護ベルト１に張力を加えながら接着を行いもう一方の端をもう一つの窪みに他端同様鋲で固定する。
（ホ）以上は片側でありもう一方も同様に接着して「床に優しいロッキングチェアー」である。
以上実施例である。
【図面の簡単な説明】
【０００８】
【図１】本発明の斜視図
【図２】本発明の正面図
【図３】本発明の側面図
【図４】図３のＢ−Ｂ矢視拡大詳細断面図
【図５】図２のＡ−Ａ矢視拡大詳細断面図
【符号の説明】
【０００９】１  床保護ベルト
２  床保護ベルト１の嵌め込み部
３  ロッキングビーム部
【図１】
2012152535.tif 000003
【図２】
2012152535.tif 000004
【図３】
2012152535.tif 000005
【図４】
2012152535.tif 000006
【図５】
2012152535.tif 000007
(57)【要約】【課題】健康に気遣う現代人が多い中でストレスをため肉体的、精神的に疲れている方が多い。健康維持していく為にさまざまな努力をされている。本発明は磁気により人体の不安を磁気により解消し、データ表示する事により精神の不安を解消するための器具を提供する。【解決手段】敷き布団と枕の磁気をコンベアによりローリングさせる。掛け布団のマグネット（１，５００Ｇ）にプラスを出し、敷き布団のマグネット（７５０Ｇ）にマイナスを出し、ただ横になっているだけでマッサージ効果、血流の促進効果が期待できる。各計測（血圧・体重・脈拍・動脈硬化（ＡＢＩ方法））を可能にすることにより日々の健康管理に役立つ。【選択図】図１
2012152533.tif 000002
【特許請求の範囲】
【請求項１】
寝具の上下布団にマグネットを内蔵し、掛け布団のマグネットは固定し敷き布団のマグネットは電気を利用しマグネットをゴムのコンベアで回し脊椎にある中枢神経と腰・太腿・ふくらはぎ・踵を刺激し、掛け布団側のマグネット（１，５００Ｇ）をプラス面、敷き布団側のマグネット（７５０Ｇ）をマイナス面の磁力により血行を促進させ、枕部は磁気をゴムのコンベアで回し頸椎の七個の椎骨を適度な磁力によって血行を促進させ、後頭部のツボを刺激し、頭の重さとマグネットにより心地よい眠りを誘い、マッサージ効果・血流の促進効果が期待でき、敷き布団に測定用の装置を取り付けることにより血圧・体重・脈拍・動脈硬化（ＡＢＩ方法）の数字的な表示ができるようにする人体・精神の不安を解消する器具
【発明の詳細な説明】
【技術分野】
【０００１】本発明は人体の血行を促すことにより心身の健康の増進に関するものである。
【背景技術】
【０００２】従来、磁気を利用した安眠用のための寝具は知られている。
【発明の概要】
【発明が解決しようとする課題】
【０００３】健康増進のための磁気を利用した寝具はあるが数字的な指標もなく磁気も固定されているため、本人の気持ちに頼るだけであった。
本発明は、それを解決するためになされたものである。
【課題を解決するための手段】
【０００４】寝具の上下布団に磁気を内蔵し、掛け布団の磁気は固定し、敷き布団の磁気は電気を利用し磁気をゴムのコンベアで回し脊椎にある中枢神経と腰・太腿・ふくらはぎ・踵を磁力により血行を促進。枕部は磁気をゴムのコンベアで回し頸椎の七個の椎骨を適度な磁力によって血行促進を増進させ、後頭部のツボを刺激し、頭の重さとマグネットにより心地よい眠りを誘う。マッサージ効果・血流の促進効果が期待でき、敷き布団に測定用の装置を取り付けることにより血圧・体重・脈拍・動脈硬化（ＡＢＩ方法）、数字的な表示が可能になる。
以上の構成によりなる人体・精神の不安を解消する器具
【発明の効果】
【０００５】日頃のヘルスチェックをすることで自己管理、健康の指標を得ることが出来、マッサージ効果・血流の促進効果をこの器具を利用することにより心地よい眠りが可能になる。
【図面の簡単な説明】
【０００６】
【図１】本発明の側面の断面図（全体図）
【図２】本発明の側面の断面図（枕部）
【図３】本発明の表面図（枕部）
【図４】本発明の正面図（枕部）
【図５】本発明の側面の断面図（掛け布団）
【図６】本発明の斜視図（掛け布団）
【図７】本発明の側面の断面図（敷き布団）
【図８】本発明の斜視図（敷き布団）
【図９】本発明の内部配線図（敷き布団）
【図１０】本発明の表示操作部正面図
【発明を実施するための最良の形態】
【０００７】以下、本発明の実施の形態の説明をする。
（イ）枕（１３）の内部に鋼（６）の外側のゴムベルト（３）に装着したマグネット（７５０Ｇ）（２）を巻きつけゴムベルト（３）の両はしにローラー（４）を設ける。
（ロ）掛け布団（１）の内側にマグネット（７５０Ｇ）（２）を設ける。
（ハ）敷き布団（７）の内部に鋼（６）の外側のゴムベルト（３）に装着したマグネット（１，５００Ｇ）（８）を巻きつけゴムベルト（３）の内側の両はしにローラー（４）を設ける。
（ニ）敷き布団（７）の側面にコンセント（１０）、計測用ソケット（１２）、音声・データ排出口（９）、枕と本体の接続用コード（１１）を設ける。
（ホ）敷き布団（７）にて体重・血圧・脈拍・動脈硬化（ＡＢＩ方法）測定できるよう表面に四箇所のカフ（１５）と体重計（１４）を設ける。
（ヘ）枕（１３）と敷き布団（７）の下側にウレタン（５）を設ける。
（ト）操作表示部（２６）に電源スイッチ（２０）操作スイッチ（２１）表示画面（２２）コード（２３）音声排出口（２４）データ排出口（２５）を設ける。
本発明は、以上のような構造である。
本発明を使用するときは、コード（２３）を敷き布団（７）に差し込み布団に横たわり、操作表示部（６）を操作することにより敷き布団（７）の内部のゴムベルト（３）に装着されたマグネット（８）がローラー（４）を介して回り体の接着部分をローリングする。マグネット（８）が固定された掛け布団（１）を乗せることにより体を磁気ではさむ形にする。枕（１３）もゴムベルト（３）に装着されたマグネット（８）がローラー（４）を介して後頭部をローリングする。【０００８】血圧・脈拍・動脈硬化（ＡＢＩ方法）を測定するには両腕、両足首をカフ（１５）に巻きつけ操作スイッチ（２１）にて操作する。体重の計測も同様操作スイッチ（２１）にて操作する。【０００９】毎日の測定値を記録に残したい場合には操作スイッチ（２１）にて操作し、データ排出口（２５）よりプリントアウトし、音声で確認したい場合には音声排出口（２４）より音声にてお知らせする様に操作スイッチ（２１）にて操作する。測定値を表示画面（２２）にて確認する事も可能である。【００１０】マグネット（８）をローリングする時間はタイマーでセットし最高１５分とする。
【符号の説明】
【００１１】（１）掛け布団（２）マグネット（７５０Ｇ）（３）ゴムベルト（コンベア）（４）ローラー（５）ウレタン（６）鋼（７）敷き布団（８）マグネット（１，５００Ｇ）（９）音声・データ排出口（１０）コンセント（１１）枕と本体の接続用コード（１２）計測用ソケット（１３）枕（１４）体重計（１５）カフ（１６）計測用配線（１７）電源コード（１８）データ排出用コード（１９）計測用コード（２０）電源スイッチ（２１）操作スイッチ（２２）表示画面（２３）コード（２４）音声排出口（２５）データ排出口（２６）操作表示部
【図１】
2012152533.tif 000003
【図２】
2012152533.tif 000004
【図３】
2012152533.tif 000005
【図４】
2012152533.tif 000006
【図５】
2012152533.tif 000007
【図６】
2012152533.tif 000008
【図７】
2012152533.tif 000009
【図８】
2012152533.tif 000010
【図９】
2012152533.tif 000011
【図１０】
2012152533.tif 000012
(57)【要約】【課題】野菜を洗う時使用する水の量は意外と多く、野菜を揃えて洗っても、茹でてもバラバラになりやすく、野菜を切る時に再度揃える手間がかかった。水を切る際も時間がかかっていた。本発明は、野菜を洗い、茹で、蒸し、水切りする事がそれぞれ簡単可能になったネットザルを提供する。【解決手段】四角い布状のシリコンの袋に、ザルの様に５ｍｍ〜６ｍｍ程の粗い穴を数多く設け、野菜が入口から出ないように、シリコンの細い棒をとりつける事を特徴とした。【選択図】図１
2012152530.tif 000002
【特許請求の範囲】
【請求項１】
四角い布状のシリコンの袋に、５ｍｍ〜６ｍｍ程度の粗い穴を設けてネット状にし、袋の入口に、野菜が出ないようにシリコンの細い棒を設けたことを特徴とするネットザル。
【発明の詳細な説明】
【技術分野】
【０００１】  本発明は、野菜を洗う時、茹でる時の手間を解決するネットザルに関するものである。
【背景技術】
【０００２】  従来、野菜はザルに入れて水を出しながら洗うか、桶の中に水を溜めて洗うものである。
【先行技術文献】
【０００３】
【発明の概要】
【発明が解決しようとする課題】
【０００４】  野菜を洗う時、洗い桶の中の水を何回か取り替えたり、水を出しながら洗うので、意外と大量の水を使っている事が多い。
野菜を揃えて洗っていても、茹でている時も野菜はバラバラになりやすく、野菜を切る時に揃える手間がかかった。
又、野菜を洗った時の水切りは、ザルをボールの上にのせ少しの間放置しなければならなかった。
本発明は、以上の問題点を解決するものである。
【課題を解決するための手段】
【０００５】  上記問題点を解決するため本発明は四角い布状のシリコンの袋に、５ｍｍ〜６ｍｍ程の粗い穴を設けてネット状にし、ネット状にした袋（１）の入口にシリコンの細い棒（２）をとりつけたものである。使用する場合は（２）のシリコン棒をひとねじりして野菜がネット（１）から出ないようにする。
以上の構成によりなるネットザルである。
【発明の効果】
【０００６】  本発明は、野菜を洗う時の水の量を減らす事が出来、洗ってそのまま茹でる事や、電子レンジで蒸す事を可能にし、洗っている時、茹でている時に野菜がバラバラにならず揃える手間がはぶけ、ネットをふって簡単に水を切る事を可能にした。
【図面の簡単な説明】
【０００７】
【図１】本発明の平面図である。
【図２】本発明の止め口のシリコンの細い棒の図である。
【発明を実施するための形態】
【０００８】  以下、本発明の実施の形態を説明する。
（イ）シリコンを利用し、５ｍｍ〜６ｍｍ程の粗い穴をザルの様に多数あける（１）。
（ロ）野菜を入れる入口から野菜が出てしまわないように、シリコンの細い棒（２）を取り付けて、ひとねじりして口を固定する。
本発明は、シリコンネットを利用した事で洗ってそのまま茹でる事、蒸す事が可能になり、野菜を洗ってふれば水切りが簡単に出来る。
又、野菜をきざんで袋に入れ、塩をふってもめば即席漬けも簡単に出来る。
【符号の説明】
【０００９】（１）シリコンネット
（２）シリコンの細い棒
【図１】
2012152530.tif 000003
【図２】
2012152530.tif 000004